(57)【要約】【課題】ノズルから噴出させた洗浄液と、その洗浄液の噴出により外部から吸引された空気とを混合し、洗浄液を泡沫化して噴射する身体洗浄具において、洗浄液の泡沫化を安定させる。【解決手段】洗浄液を泡沫化して噴射する身体洗浄具１が、洗浄液Ａと炭酸ガスと圧縮ガスを充填した容器本体１０と、洗浄液Ａを容器本体１０から噴出させ、噴出させた洗浄液と外部の空気とを混合することにより、洗浄液Ａを泡沫化し、噴射するノズル２０からなり、容器本体１０に充填した洗浄液のｐＨが炭酸ガスの溶存により４〜６に調整されている。【選択図】　　図１
2004065464.tif 000002
【特許請求の範囲】
【請求項１】
洗浄液を泡沫化して噴射する身体洗浄具であって、
洗浄液と炭酸ガスと圧縮ガスを充填した容器本体と、
洗浄液を容器本体から噴出させ、噴出させた洗浄液と外部の空気とを混合することにより、洗浄液を泡沫化し、噴射するノズルからなり、
容器本体に充填した洗浄液のｐＨが炭酸ガスの溶存により４〜６に調整されている身体洗浄具。
【請求項２】
洗浄液が、塩化ベンザルコニウムを含有する請求項１記載の身体洗浄具。
【発明の詳細な説明】
【０００１】
【発明の属する技術分野】
本発明は、洗浄液を泡沫化して噴射する身体洗浄具に関する。
【０００２】
【従来の技術】
肛門、口腔、鼻腔、眼孔等を洗浄液の噴射により洗浄する場合、洗浄液を単に洗浄部位に噴射するよりも、洗浄液を空気と混合し、泡沫化して噴射した方が、洗浄部位への洗浄液のあたりがソフトであり、飛散が少なく、洗浄効果も向上する。
【０００３】
洗浄液を空気と混合して洗浄部位に噴射する身体洗浄具としては、温水をポンプで圧送してスリット孔からノズル本体内に噴出させ、この噴出した温水と、温水の噴出によりノズル本体内に吸引された空気とをフィルターに通して泡沫状に撹拌し、得られた泡沫水をノズル孔から噴射させるもの（特開昭５７−１８０７２７号公報）や、液体をポンプで圧送して噴出ノズルから気液混合室に噴出させ、その噴出液と、液体の噴出により外部から吸引された空気とを気液混合室で混合し、得られた気液混合流を、細孔を通して外部へ噴出させるもの（特開昭５８−１４１１２４号公報）が知られている。
【０００４】
【発明が解決しようとする課題】
しかしながら、洗浄液を空気と混合し、泡沫化して噴射する従来の身体洗浄具は、洗浄液をポンプで加圧しなくてはならないため携帯性に劣る。
【０００５】
さらに、従来の身体洗浄具は、気液混合流を外部へ噴射させる孔を上向きにして使用した場合、ポンプから圧送される水量が少ないと、気液混合室から泡沫化されていない洗浄水が流出するという課題がある。また、空気と混合される前の洗浄液の噴流の流速が低いと、空気の混入が不十分になりやすいという課題もある。
【０００６】
また、洗浄液には、通常防腐剤が含まれており、防腐剤の種類と含有量によって、洗浄液の粘膜に対する刺激が強くなるという問題がある。
【０００７】
これに対し、本発明は、ノズルから噴出させた洗浄液と、その洗浄液の噴出により外部から吸引された空気とを混合し、洗浄液を泡沫化して噴射する身体洗浄具において、携帯性を向上し、洗浄液の噴出量や流速が低い場合でも安定的に洗浄液を泡沫化できるようにし、また、洗浄液自体の粘膜への刺激を低減させることを目的とする。
【０００８】
【課題を解決するための手段】
本発明者らは、（ｉ）ノズルから噴出させた洗浄液と、その洗浄液の噴出により外部から吸引された空気とを混合し、洗浄液を泡沫化して噴射するにあたり、洗浄液を容器内で圧縮ガスにより加圧しておくと、洗浄液を圧送するポンプが不要となり、著しく携帯性を向上させられること、（ｉｉ）洗浄液に炭酸ガスを溶存させておくと、洗浄液に含有させる防腐剤を少量にしても防腐性を維持でき、また、防腐剤の含有量を少なくすることにより粘膜への刺激を低減できること、さらに、（ｉｉｉ）容器本体に充填した後の洗浄液が、炭酸ガスの溶存によりｐＨ４〜６となるようにすると、噴射、洗浄時の洗浄液のｐＨを花粉のアレルゲンの溶出の抑制に有効な弱酸性とし、洗浄後に洗浄部位に残存する洗浄液のｐＨを、溶存炭酸ガスの揮散により、皮膚あるいは粘膜本来のｐＨにすることができるので、花粉の洗浄に特に有効となることを見出した。
【０００９】
即ち、本発明は、洗浄液を泡沫化して噴射する身体洗浄具であって、
洗浄液と炭酸ガスと圧縮ガスを充填した容器本体と、
洗浄液を容器本体から噴出させ、噴出させた洗浄液と外部の空気とを混合することにより、洗浄液を泡沫化し、噴射するノズルからなり、
容器本体に充填した洗浄液のｐＨが炭酸ガスの溶存により４〜６に調整されている身体洗浄具を提供する。
【００１０】
【発明の実施の形態】
以下、図面を参照しつつ、本発明を説明する。なお、各図中、同一符号は同一又は同等の構成要素を表している。
【００１１】
図１は、本発明の一実施例の身体洗浄具１の側面図、図２は、そのノズル部分の断面図である。
【００１２】
この身体洗浄具１は、容器本体１０とノズル２０からなる泡沫噴射容器３０の容器本体１０に洗浄液Ａ、炭酸ガス、及び圧縮ガスを充填したものである。
【００１３】
容器本体１０としては、携帯性、操作性の点からアルミニウム、スチール等からなるエアゾール缶を使用することが好ましい。
【００１４】
ノズル２０は、容器本体１０の一端に着脱自在に設けられており、容器本体１０との結合部２１、導液部２２、気液混合室２３、先端噴射孔２４を有している。結合部２１は、容器本体１０側に押し込まれることにより容器本体１０の内外を連通させるステム２５を有している。このステム２５には、導液部２２の導液路２６が繋がっており、導液路２６の先端は洗浄液を気液混合室２３に噴出する噴出孔２７となっている。気液混合室２３には、その内側と外側を連通させる空気孔２８が設けられている。
【００１５】
したがって、このノズル２０を矢印Ｐのように容器本体１０側に押し込むことにより、容器本体１０内の洗浄液Ａが導液路２６を通って噴出孔２７から気液混合室２３に噴出し、その噴流に巻きこまれるようにして空気Ｂが空気孔２８から気液混合室２３に吸引され、気液混合室２３内で洗浄液と空気が混合して洗浄液が泡沫化し、その泡沫化した洗浄液Ａ’が先端噴射孔２４から噴射される。
【００１６】
ここで、噴出孔２７の孔径Ｌ１　は、０．１〜１ｍｍとすることが好ましく、０．３〜０．５ｍｍがより好ましい。これにより、洗浄液Ａを、十分な量の空気を巻き込むことのできる流速で噴出孔２７から噴出させることができ、安定的に泡沫化することができ、また、鼻腔、口腔等の洗浄に適した液量で洗浄液を噴出させることができる。
【００１７】
先端噴射孔２４の孔径Ｌ２　は、０．１〜２ｍｍが好ましく、０．６〜１．３ｍｍがより好ましい。これにより、空気孔２８から泡沫化した洗浄液が溢れ出たり、泡沫化した洗浄液の先端噴射孔２４からの噴射速度が洗浄に適さないほど遅くなることを防止できる。
【００１８】
一方、洗浄液Ａとしては、容器本体１０に充填後、容器本体１０に充填した炭酸ガスの溶存によりｐＨが４〜６、好ましくは４〜５となる生理食塩水、グリセリン水溶液等を使用する。このような洗浄液Ａとしては、容器本体１０に充填する前のｐＨが５．５〜８のものが好ましく、リン酸、フタル酸、クエン酸、コハク酸、酒石酸、乳酸等とその塩（ナトリウム塩、カリウム塩等）からなるｐＨ調整剤を適宜用いることができる。
【００１９】
また、洗浄液Ａには、防腐剤を含有させる。防腐剤としては、塩化ベンザルコニウム、塩化ベンゼトニウム、パラベン類等を使用することができるが、特に、炭酸ガスと併用することにより防腐性が向上し、また、粘膜への刺激が少ない点から塩化ベンザルコニウムを用いることが好ましい。
【００２０】
洗浄液Ａ中の塩化ベンザルコニウムの含有量は、０．００１〜０．００６重量％が好ましく、０．００２〜０．００４重量％がより好ましい。
【００２１】
洗浄液Ａには、泡沫化を向上させるために、水溶性高分子を添加してもよい。水溶性高分子としては、セルロース系あるいはポリビニルアルコール系のものを使用することができる。水溶性高分子の添加量は、少なすぎると泡沫向上効果が不十分となり、多すぎると洗浄液の粘度が高くなりすぎ、噴出液量が少なくなるので、洗浄液１００重量部に対し、０．０１〜１重量部とすることが好ましい。
【００２２】
さらに、洗浄液Ａには、洗浄時あるいは洗浄後にリラックス感を得られるようにするため、セドロール、メントール等を配合してもよい。また、通常鼻腔内洗浄液に配合されている等張化剤（塩化ナトリウム、グリセリン等）、香料（ユーカリプトール等の単品香料及び、ペパーミント、スペアミント、ペニーロイヤルミント、タイム、ユーカリ等の天然香料等）、分散剤（ポリオキシエチレンソルビタン脂肪酸エステル、ポリオキシエチレングリコール脂肪酸エステル、ポリオキシエチレンアルキルエーテル、ポリオキシエチレン硬化ヒマシ油、リン脂質、ソルビタン脂肪酸エステル、グリセリン脂肪酸エステル、ショ糖脂肪酸エステル等）を配合することができる。
【００２３】
この他、洗浄液Ａには、各種薬剤、例えば、（１）くしゃみや鼻水の改善のため、ヒスタミン遊離抑制効果や抗ヒスタミン効果等の生理活性を有する薬剤（塩酸ジフェンヒドラミン、塩酸ジフェニルピラリン、フマル酸クレマスチン、フマル酸エメダスチン、マレイン酸クロルフェニラミン、酒石酸アリメジン、塩酸シクロヘプタミン、メキタジン、テルフェナジン、クロモグリク酸ナトリウム、トラニラスト、アンレキサノクス、ペミロラストカリウム、フマル酸ケトチフェン、オキサトミド、塩酸アゼラスチン、ユーカリエキス等）、（２）鼻づまりの改善のため、血管収縮効果等の生理活性を有する薬剤（硝酸ナファゾリン、硝酸テトラヒドロゾリン、塩酸ナファゾリン、塩酸テトラヒドロゾリン、塩酸オキシメタゾリン、塩酸エフェドリン、塩酸メチルエフェドリン、塩酸フェニレフリン、塩酸トラマゾリン、エピネフリン等）、（３）鼻粘膜をコートし、鼻粘膜とアレルゲンや刺激誘引物質との接触を阻害する薬剤（カラギーナン等の水溶性高分子、シリコン油等）、（４）局所麻酔剤（塩酸リドカイン、リドカイン、塩酸ジブカイン等）、（５）抗炎症剤（サリチル酸メチル、グリチルリチン酸、グリチルリチン酸塩、ビタミンＣ等）、（６）殺菌剤（塩化ベンザルコニウム、塩化セチルピリジウム、塩化デカリニウム等）等を配合することができる。
【００２４】
炭酸ガスの容器本体１０への充填量は、該容器本体１０内で炭酸ガスを溶存した洗浄液ＡのｐＨが４〜６、好ましくは４〜５となる量とする。ここで、このｐＨは、先端噴射孔２４から噴射した直後の泡沫化した洗浄液Ａ’のｐＨを測定することにより得られる数値である。このように炭酸ガスを洗浄液を溶存させることにより、噴射時の洗浄液は弱酸性となるので、この身体洗浄具を、例えば、鼻腔内洗浄に用いた場合には、洗浄時に、花粉のアレルゲンの溶出を抑制することができ、また、洗浄後には、洗浄液中に溶存していた炭酸ガスが揮散し、速やかに鼻腔内を本来のｐＨに正常化することができる。
【００２５】
なお、噴射時の洗浄液のｐＨを上述のように調整するための炭酸ガスの容器本体１０への充填量は、通常、洗浄液１００ｇに対して０．０２５〜１ｇ、好ましくは０．１〜０．４ｇである。
【００２６】
また、炭酸ガスの容器本体１０への充填方法としては、容器本体１０内を減圧とした後、炭酸ガスを充填すればよい。
【００２７】
圧縮ガスは、洗浄液Ａに十分な噴射圧をかけるために用いられる。上述の炭酸ガスだけでは十分な噴射圧を得ることができない。圧縮ガスとしては、圧縮空気、窒素等を使用することができ、その充填量としては、容器本体１０内のゲージ圧が０．１〜１ＭＰａとなる量とすることが好ましい。
【００２８】
【実施例】
実施例１
（１）身体洗浄具の作製
図１の身体洗浄具１を作製した。この場合、容器本体１０としては、内容積１８０ｍＬのアルミニウム製容器を用意し、まず、この容器本体１０に、精製水１２０ｇ、塩化ナトリウム１ｇ、塩化ベンザルコニウム０．００４２ｇからなる洗浄液を充填し、バルブをセットし、容器本体１０内を減圧にした。次に、バルブの先端口から炭酸ガスを注入し、バルブからの噴出液のｐＨが４．５となるようにした。続いて、容器本体１０の内圧が０．８ＭＰａとなるように圧縮空気を充填し、容器本体１０にノズル２０を取り付けた。
【００２９】
（２）評価
（２−１）泡沫状態
得られた身体洗浄具から洗浄液を約１０ｃｍ離れた板に噴射させ、噴射開始直後（噴射初期）の泡沫の噴射状態、及び洗浄液の約９０％を噴射させた後（噴射後期）の泡沫の噴射状態を観察した。その結果、噴射初期と噴射後期とで噴射状態は変わらず、泡沫が安定的に所定方向に噴射されていた。この噴射状態の模式図を図３に示す。
【００３０】
また、この泡沫状態を次の基準で４段階に評価した。結果を表１に示す。
【００３１】
◎：板上の噴射液に空気が十分混入されており、外観上、噴射液全体が泡沫状である
○：板上の噴射液に空気が混入されており、外観上、噴射液の大部分が泡沫状である
△：板上の噴射液に空気が僅かに混入されており、外観上、少し白濁している
×：板上の噴射液に空気が混入されておらず、外観上、透明である
【００３２】
（２−２）鼻洗浄時の使用感
花粉症患者５名をパネラーとし、各パネラーがこの身体洗浄具を用いて実際に鼻洗浄した場合の使用感を、噴射初期、噴射後期のそれぞれについて、次の基準で４段階の得点で評価した。結果を表１に示す。なお、表１の数値は、パネラーからの得点の平均値（小数第１位を四捨五入）である。
【００３３】
４：粘膜への刺激を全く感じない、ソフトな洗浄感である
３：粘膜への刺激はあるが、洗浄時に痛みは感じない
２：粘膜への刺激があり、洗浄時に少し痛みを感じる
１：粘膜への刺激が強く、洗浄時に痛みを感じる
【００３４】
実施例２
洗浄液に水溶性高分子（信越化学社、メトロース６０ＳＨ−５０）０．１ｇをさらに添加する以外は実施例１と同様にして身体洗浄具を作製し、泡沫状態と鼻洗浄時の使用感を評価した。結果を表１に示す。
【００３５】
比較例１
ノズル２０の空気孔２８を塞いだ以外は、実施例１と同様にして身体洗浄具を作製し、噴射状態を観察し、泡沫状態と鼻洗浄時の使用感を評価した。結果を表１に示す。
【００３６】
比較例２
精製水１２０ｇ、塩化ナトリウム１ｇ、塩化ベンザルコニウム０．００１ｇ、水溶性高分子（信越化学社、メトロース６０ＳＨ−５０）０．１ｇからなる洗浄液を使用し、容器本体に炭酸ガスを充填しない以外は実施例１と同様にして身体洗浄具を作製し、噴射状態を観察し、泡沫状態と鼻洗浄時の使用感を評価した。結果を表１に示す。
【００３７】
【表１】
2004065464.tif 000003
【００３８】
表１から、炭酸ガスを充填することにより、泡沫状態が著しく改善され、鼻洗浄時の使用感も改善されることがわかる。
【００３９】
【発明の効果】
本発明の身体洗浄具によれば、容器本体から洗浄液を噴出し、外部の空気と混合し、泡沫化して噴射するにあたり、洗浄液に炭酸ガスを溶存させるので、身体洗浄具の使い初めから使い終わりに至るまで、常時、ソフトな当たりで、肛門、口腔、鼻腔、眼孔等の洗浄部位を飛散なく洗浄することができる。また、洗浄液の噴出にポンプを必要としないので、携帯性も向上したものとなる。さらに、防腐剤の含有量が少なくても所期の防腐性を維持することができる。
【図面の簡単な説明】
【図１】身体洗浄具の側面図である。
【図２】ノズル部分の断面図である。
【図３】実施例の身体洗浄具の噴射状態の模式図である。
【符号の説明】
１　　身体洗浄具
１０　　容器本体
２０　　ノズル
２１　　容器本体との結合部
２２　　導液部
２３　　気液混合室
２４　　先端噴射孔
２５　　ステム
２６　　導液路
２７　　噴出孔
２８　　空気孔
３０　　泡沫噴射容器
Ａ　　洗浄液
Ａ’　泡沫化した洗浄液
Ｂ　　空気
【図１】
2004065464.tif 000004
【図２】
2004065464.tif 000005
【図３】
2004065464.tif 000006